(57)【要約】      （修正有）【課題】取り扱い易い真空断熱材でありながら接続部分のからの放熱を防止した貯湯タンクの断熱構造を提供する。【解決手段】貯湯タンク７を包囲する外装ケースと、前記貯湯タンク７と外装ケースとの間の空間に前記貯湯タンク７の断熱を行う真空断熱材２６を備えたもので、前記真空断熱材２６は、貯湯タンク７の上部を覆う予め円筒状に成形された上部真空断熱材２８と、貯湯タンク７の中間部を覆う予め円筒状に成形された中部真空断熱材３０と、貯湯タンク７の下部を覆う予め円筒状に成形された下部真空断熱材２９の少なくとも３部分に分割され、各真空断熱材２６同士の下端及び上端の接続部分は、内方から外方へ向かう下り傾斜面を形成し、この下り傾斜面を真空断熱材２６の外周を覆うお互いの被覆材がオーバーラップして覆うようにしたから、放熱を極力抑制して良好な断熱を長期に渡って得ることが出来るものである。【選択図】図２
2012247080.tif 000002
【特許請求の範囲】
【請求項１】
加熱手段で加熱された温水を貯湯する貯湯タンクと、該貯湯タンクを包囲する外装ケースと、前記貯湯タンクと外装ケースとの間の空間に前記貯湯タンクの断熱を行う真空断熱材を備えたものに於いて、前記真空断熱材は、貯湯タンクの上部を覆う予め円筒状に成形された上部真空断熱材と、貯湯タンクの中間部を覆う予め円筒状に成形された中部真空断熱材と、貯湯タンクの下部を覆う予め円筒状に成形された下部真空断熱材の少なくとも３部分に分割され、各真空断熱材同士の下端及び上端の接続部分は、内方から外方へ向かう下り傾斜面を形成し、この下り傾斜面を真空断熱材の外周を覆うお互いの被覆材がオーバーラップして覆うようにした事を特徴とする貯湯タンクの断熱材構造。
【発明の詳細な説明】
【技術分野】
【０００１】
この発明は、電気温水器やヒートポンプ式給湯機の貯湯タンクの保温、断熱を行う真空断熱材を備えた貯湯タンクの断熱材構造に関するものである。
【背景技術】
【０００２】
従来よりこの種のものに於いては、貯湯タンクと外装ケースとの間に、上中下に３分割した発泡の断熱材を凹凸の嵌合で連結し、貯湯タンク内の湯水を断熱材で長時間に渡り良好に断熱するものであった。（特許文献１参照。）
又薄くて断熱効果が高い真空断熱材を、貯湯タンクの中央円筒部を覆うようにして使用しているものもある。（特許文献２参照。）
【先行技術文献】
【特許文献】
【０００３】
【特許文献１】特許第３５６１２３９号公報
【特許文献２】特許第４２５４９０２号公報
【発明の概要】
【発明が解決しようとする課題】
【０００４】
ところでこの従来のものでは、発泡保温材自体の製造誤差や組み立て誤差によって、連結部分の凹凸の嵌り込みが出来ず、連結部分に隙間が出来てこの隙間からの放熱が進んで保温効果が失われてしまうものであった。
又真空断熱材を使用したものでは、断熱材同士の接続部分が複雑となり容易に接続することが出来ないと言う課題を有するものであった。
【課題を解決するための手段】
【０００５】
この発明は上記課題を解決するために、特にその構成を、加熱手段で加熱された温水を貯湯する貯湯タンクと、該貯湯タンクを包囲する外装ケースと、前記貯湯タンクと外装ケースとの間の空間に前記貯湯タンクの断熱を行う真空断熱材を備えたものに於いて、前記真空断熱材は、貯湯タンクの上部を覆う予め円筒状に成形された上部真空断熱材と、貯湯タンクの中間部を覆う予め円筒状に成形された中部真空断熱材と、貯湯タンクの下部を覆う予め円筒状に成形された下部真空断熱材の少なくとも３部分に分割され、各真空断熱材同士の下端及び上端の接続部分は、内方から外方へ向かう下り傾斜面を形成し、この下り傾斜面を真空断熱材の外周を覆うお互いの被覆材がオーバーラップして覆うようにしたものである。
【発明の効果】
【０００６】
以上のようにこの発明によれば、破損し易い真空断熱材を予め円筒状に成形し、且つこれを上下と中央に３分割したので、各真空断熱材を貯湯タンクに嵌め込めば良く取り扱い易く破損の心配もなく安心して使用出来、更に上下の真空断熱材と中央の真空断熱材との接続部分は、貯湯タンク側から外方に向かって下り傾斜しているので、下から上へ向かう熱気の動きには反しており、この部分からの熱気の放出が抑制され、しかもこの接続部分の入り口も出口も被覆材がオーバーラップしており、更に熱気が抜けにくくなっていて、真空断熱材の断熱効果も相俟って良好な断熱が得られ、長時間に渡って貯湯タンク内の湯水を高温に保持することが出来、極めて使用勝手が良いものである。
【図面の簡単な説明】
【０００７】
【図１】この発明の断熱構造が施される一実施形態を示す貯湯式給湯機の概略構成図。
【図２】貯湯タンクの断熱構造を示す説明図。
【図３】同要部の断面図。
【図４】同要部の拡大断面図。
【発明を実施するための形態】
【０００８】
次にこの発明の一実施形態を図面に基づいて説明する。
１は貯湯タンクユニットを構成する外装ケース、２はヒートポンプユニットよりなる加熱手段、３は給湯栓、４はリモートコントローラ、５は浴槽、６は電源である。
【０００９】
前記外装ケース１内には、湯水を貯湯する貯湯タンク７と、貯湯タンク７の上部に接続された出湯管８と、貯湯タンク７の下部に接続された給水管９と、出湯管８からの高温水と給水管９から分岐されたバイパス管１０からの低温水とを混合するミキシング弁１１と、ミキシング弁１１の下流に接続された給湯管１２と、給湯管１２に設けられた給湯温度センサ１３と、給湯管１１に設けられた給湯流量センサ１４と、給水管９に設けられた給水温度センサ１５と、給湯管１２から分岐され浴槽５に接続された湯張り管１６と、この湯張り管１６の開閉を行う湯張り弁１７と、湯張り管１６を流れる流量を積算する湯張り流量センサ１８と、出湯管８から分岐して接続された貯湯タンク７の過圧を逃す過圧逃し弁１９と、給水管９に設けられた給水圧を減圧する減圧弁２０と、貯湯タンク７の側面上下方向に複数設けられた貯湯温度センサ２１と、この外装ケース１内の各種機器の制御を行うマイクロコンピュータを主に構成される給湯制御部２２と、貯湯タンク７と加熱手段２とを接続して湯水を循環させるヒーポン往き管２３とヒーポン戻り管２４からなる加熱循環回路２５とを備えて構成されている。
【００１０】
２６は貯湯タンク７と外装ケース１との間で、該貯湯タンク７の外郭のほぼ全面を覆う真空密閉された真空断熱材で、全周を大きめの透明のフィルムからなる被覆材２７で覆われており、更にこの真空断熱材２６は、貯湯タンク７の上部を覆うように予め円筒状に成形した上部真空断熱材２８と、貯湯タンク７の下部を覆うように予め円筒状に成形した下部真空断熱材２９と、貯湯タンク７の中央胴部を覆うように予め円筒状に成形した中部真空断熱材３０の３つの部分に分割されているものである。
【００１１】
前記上部真空断熱材２８の下端と中部真空断熱材３０の上端及び、下部真空断熱材２９の上端と中部真空断熱材３０の下端のそれぞれの接続部分３１は、上部真空断熱材２８の下端と中部真空断熱材３０の上端と、下部真空断熱材２９の上端と中部真空断熱材３０の下端とが斜めカットされ、貯湯タンク７側の内方から外方に向かって下り傾斜しており、熱気が下方から上方に向かって上昇するのに反していて、内方からの熱気の抜けを抑制して断熱効果を上げるようにしたものであり、又この接続部分３１の内方の入り口３２には、下側の真空断熱材２９、３０の被覆材２７がオーバーラップして閉塞しており、更に接続部分３１の外方の出口３３には、上側の真空断熱材２８、３０の被覆材２７がオーバーラップして閉塞しているので、更に熱気は抜け難くなり断熱効果が向上するものである。
【００１２】
前記加熱手段２は、二酸化炭素冷媒を圧縮するコンプレッサー３４と、凝縮器としての冷媒水熱交換器３５と、減圧器３６と、蒸発器としての空気熱交換器３７よりなるヒートポンプ回路３８と、空気熱交換器３７に送風する送風機３９と、加熱循環回路２５途中に設けられた能力可変の循環ポンプ４０と、加熱循環回路２５の冷媒水熱交換器３５入口側に設けられ、冷媒水熱交換器３５に流入する湯水の温度を検出する熱交入口温度センサ４１と、加熱循環回路２５の冷媒水熱交換器３５出口側に設けられ、冷媒水熱交換器３５から流出する湯水の温度を検出する熱交出口温度センサ４２と、この加熱手段２の制御を行うマイクロコンピュータを主に構成される加熱制御部４３とを備えて構成されている。
【００１３】
ここで、前記電源６は時間帯別電灯であり、夜間（ここでは２３時から翌７時まで）が割安な電力料金設定となっているもので、この割安な夜間電力を用いて夜間に一日に必要な貯湯熱量を沸かし上げて使用するものであり、又この時間帯別電灯では昼間（７時から２３時まで）にも電力は供給され、残湯量が少なくなったときに追加の沸き増しが行われるものである。なお、前記電源６は給湯制御部２２に接続され、この給湯制御部２２からリモートコントローラ４および加熱制御部４３に有線にて通信信号が重畳されて電力供給されるものである。
【００１４】
そして、夜間時間帯になると前記給湯制御部２２が翌日に必要な貯湯熱量を演算し、この目標となる貯湯熱量を夜間時間帯の終了時までに沸き上げるよう加熱制御部４３に指示してヒートポンプ回路３８を作動させ、加熱循環回路２５の循環ポンプ４０を駆動開始する。そして、循環ポンプ４０の駆動により貯湯タンク７下部から取り出された湯水がヒーポン往き管２３を通り加熱手段２の冷媒水熱交換器３５に流入して加熱され、ヒーポン戻り管２４を介して貯湯タンク７の上部に戻されることにより高温の湯が貯湯される。
【００１５】
更に貯湯タンク７の側面に設けられた貯湯温度センサ２１が所定の量の高温水が貯湯されたことを検出するか、又は、熱交入口温度センサ４１が所定温度以上を検出すると、給湯制御部２２が加熱制御部４３へ加熱動作の停止を指令し、ヒートポンプ回路３８と循環ポンプ４０の作動が停止され、夜間時間帯の終了時までに貯湯動作を終了するものである。
【００１６】
なお、ここで貯湯タンク７内に貯湯される熱量は給湯制御部２２により、過去数日分の給湯負荷から適切と思われる熱量を目標貯湯熱量として算出されるもので、貯湯される湯水の温度は季節（又は給水温度センサ１５で検出する給水温度）及び目標貯湯熱量の大小によって６０℃〜９０℃の範囲で変動するものである。
【００１７】
前記リモートコントローラ４には、給湯設定温度を設定する温度設定スイッチ４４、浴槽５への湯張りを指示する湯張りスイッチ４５、湯張り量を設定する湯張り量設定スイッチ４６、及び給湯可能な残時間を表示させる残時間表示スイッチ４７とを有した操作部４８と、ドットマトリクス型の蛍光表示管よりなる表示部４９と、これら操作部４８及び表示部４９を制御すると共に、前記給湯制御部２２と通信を行うマイクロコンピュータを主に構成されたリモコン制御部５０を備えており、通常運転時は前記表示部４９に操作部４８で設定された給湯設定温度や時刻情報及び貯湯温度センサ２１で検知する残り貯湯量等が表示されるものである。なお、前記表示部４９はドットマトリクス型の液晶表示部としても良い。
【００１８】
次に給湯栓３を開くと、給水管９からの給水圧により貯湯タンク７上部の高温水が出湯管８に押し出され、給湯制御部２２により制御されるミキシング弁１１にて、バイパス管１０の低温水と給湯温度センサ１３の検出する温度が、前記リモートコントローラ４の操作部４８で設定された給湯設定温度になるように混合されて、給湯管１２を介して給湯されるものである。
【００１９】
もしも給湯量が通常よりも多くなってしまい、昼間電力時間帯にて貯湯温度センサ２１で検出する残り貯湯量が少なくなったことを給湯制御部２２が検知し、貯湯タンク７内に貯湯された湯の湯切れが予想される場合は、その時点にて昼間電力を利用して必要な熱量の沸き増しが行われるものである。
【００２０】
次に浴槽５に湯張りを行う際は、リモートコントローラ４の湯張りスイッチ４５が操作されると、給湯制御部２２が湯張り弁１７を開いて湯張りを開始し、湯張りを開始してからの積算流量が湯張り量に達したことを検出すると湯張り弁１７を閉じて湯張りを完了するものである。
【００２１】
次に真空断熱材２６の組み付けは、貯湯タンク７の外周に円筒状に成形された下部真空断熱材２９、中部真空断熱材３０、上部真空断熱材２８の順に被せて行き、そして下部真空断熱材２９の上端と中部真空断熱材３０の下端及び、中部真空断熱材３０の上端と上部真空断熱材２８の下端との接続部分３１は、接合する各端部が斜めカットされているので、貯湯タンク７側の内方から外方に向かって下り傾斜状態となり、又接続部分３１の内方の入り口３２は、下側の真空断熱材２９、３０の被覆材２７をオーバーラップさせて閉塞させ、更に接続部分３１の外方の出口３３は、上側の真空断熱材２８、３０の被覆材２７をオーバーラップさせて閉塞させるものである。
【００２２】
この真空断熱材２６の組み付けによって、断熱効果が向上すると共に、組み付けも予め円筒状に成形された下部真空断熱材２９、中部真空断熱材３０、上部真空断熱材２８を順に貯湯タンク７に被せるだけで良いので、取り扱い易く組み付けが容易で破損の心配がないものであり、更に接続部分３１の入り口３２、出口３３も被覆材２７がオーバーラップして閉塞するので、ここから熱気が逃げる心配がなく、万一ここが開成されたとしても、接続部分３１が内方から外方へ向かって下り傾斜しているので、貯湯タンク７からの放熱は、下り傾斜の接続部分３１を通り抜けることが出来ず、接続部分３１からの放熱を防止することが出来るものであり、真空断熱材２６の断熱効果と相俟って長期に渡って強力なな断熱が行え、常に良好な貯湯が得られるものである。
【符号の説明】
【００２３】
１  外装ケース
２  加熱手段
７  貯湯タンク
２６  真空断熱材
２７  被覆材
２８  上部真空断熱材
２９  下部真空断熱材
３０  中部真空断熱材
３１  接続部分
【図１】
2012247080.tif 000003
【図２】
2012247080.tif 000004
【図３】
2012247080.tif 000005
【図４】
2012247080.tif 000006